(57)【要約】【課題】新規で斬新な照光デザインを有する照光式加飾成形体及びキーシートの提供。【解決手段】照光式キートップ（照光式加飾成形体）８は、照光時の背景層３がキートップ本体９の全底面９ｃから均一にバックライト光を透過させるのではなく、窓孔３ａから多くのバックライト光を透過させる。これにより表示層２の面内よりも外縁の方が明るく光って見えるような明度差を生じるため、表示層２の縁取り照光を実現できる。また背景層３の窓孔３ａの大きさが表示層２より小さいため、操作者は窓孔３ａを直接見にくく、窓孔３ａを通過するバックライト光を直視しにくい見映えのよい縁取り照光を実現できる。【選択図】図２
2007213839.tif 000002
【特許請求の範囲】
【請求項１】
光透過する透光基材と、
透光基材の押圧操作側となる表面側に設けられ文字、数字、記号、図形、模様の少なくとも何れかの表示要素を形成する表示層と、
透光基材の底面側に設けられ光源からの光が透過する窓孔を有する背景層と、を備えており、
背景層の窓孔から入り透光基材を通過する前記光によって表示層の表示要素が縁取り照光する照光式加飾成形体。
【請求項２】
背景層の窓孔の大きさが表示層と同等又は小さい請求項１記載の照光式加飾成形体。
【請求項３】
背景層の窓孔が表示層の表示要素と相似形状である請求項１又は請求項２記載の照光式加飾成形体。
【請求項４】
表示層と背景層が同一色である請求項１〜請求項３何れか１項記載の照光式加飾成形体。
【請求項５】
透光基材が押釦スイッチ用のキートップ本体である請求項１〜請求項４何れか１項記載の照光式加飾成形体。
【請求項６】
押釦スイッチ用の透明なキートップ本体を備えており、透光基材がキートップ本体の底面側に備わる透光片である請求項１〜請求項４何れか１項記載の照光式加飾成形体。
【請求項７】
キートップ本体と透光片とを軟化又は溶融状態で固着する接着層を備える請求項６記載の照光式加飾成形体。
【請求項８】
請求項１〜請求項７何れか１項記載の照光式加飾成形体と、該加飾成形体を固着するベースシートと、を備える照光式キーシート。
【発明の詳細な説明】
【技術分野】
【０００１】
本発明は、携帯電話機、ＰＤＡ、リモコン、デジタルカメラ、ＡＶ機器、車載電装機器等の各種電子機器に用いられる外装部品として用いられる照光式加飾成形体に関し、特に照光式加飾成形体としての照光式キートップと、これを備えるキーシートに関する。
【背景技術】
【０００２】
携帯電話やＡＶ機器等の各種電子機器は、筐体やスイッチなど種々の外装部品を備えている。こうした外装部品は外観に現れて電子機器の市場価値をデザインによって高める重要な要素となっており、競合製品との間でデザインにおける差別化を如何にして実現するかが課題とされている。その差別化の一形態として外装部品の照光がある。ここでは携帯電話機などに備えるキーシートのキートップに照光を施す一例を説明する。
【０００３】
キートップには文字・数字・図形・記号・模様といった表示要素を施すのが一般的である。図１１はその表示要素の照光を実現する既存技術の一例である。すなわち透明樹脂でなるキートップ１の底面には、表示要素を表す表示層２とこの表示層２を覆う背景層３が形成されている。このキートップ１はベースシート４に固着され、キーシート５として使用されている。そして、基板６に実装したＬＥＤ素子などの光源７が発光すると、その光は透光性のベースシート４を通過して、キートップ１の底面へと到達し、底面側からキートップ１の照光を実現している（特許文献１）。
【特許文献１】実開平１−１７４８２０号公報
【発明の開示】
【発明が解決しようとする課題】
【０００４】
こうしたキートップ１は、暗所においてもキートップ１に表示されている表示要素を明確に認識でき、正しく入力操作を行うことができる利点がある。ところがその反面、表示要素の形状を明確に視認できるだけではデザイン上の差別化価値は低く、新しい照光デザインが求められている。
【０００５】
以上のような従来技術を背景としてなされたのが本発明である。すなわち本発明の目的は、新規で斬新な照光デザインを有する照光式加飾成形体を実現することにある。
【課題を解決するための手段】
【０００６】
上記目的を達成すべく本発明は以下のように構成される。
【０００７】
すなわち本発明は、光透過する透光基材と、透光基材の押圧操作側となる表面側に設けられ文字、数字、記号、図形、模様の少なくとも何れかの表示要素を形成する表示層と、透光基材の底面側に設けられ光源からの光が透過する窓孔を有する背景層と、を備えており、背景層の窓孔から入り透光基材を通過する前記光によって表示層の表示要素が縁取り照光する照光式加飾成形体を提供する。
【０００８】
本発明では、光源からの光（バックライト光）が透過する窓孔を有する背景層を透光基材の底面側に備え、窓孔を透過する光によって表示層の表示要素を照光する。つまり照光時の背景層は透光基材の全底面から均一にバックライト光を透過させるのではなく、特に窓孔から多くのバックライト光を透過させる。その光は透光基材を通過して表示層（表示要素）を下から明るく照光する。すると表示層の面内よりも外縁の方が明るく光って見えるような明度差が生じる。このためあたかも表示要素（表示層）を縁取るかのように照光式加飾成形体が照光する。これによって表示要素の縁取り照光を実現することができる。なお表示要素の縁取り照光とは、表示要素の縁が加飾成形体の他の部分に比べて特に明るく照光しているように見えることを意味する。したがって光が表示要素の縁以外の部分、即ち表示要素から離間する表面の部分や側面に透過する場合も含まれる。
【０００９】
また表示層と背景層が透光基材を挟んでいる。つまり表示層と背景層は深さ方向で離間している。このため表示層と背景層との間の透光基材を透過する光により、表示層と背景層との間に空間が形成されていることが確認できる。よって表示層の表示要素を浮き文字状に視認できる。
【００１０】
これら表示層及び背景層を例えば印刷、塗装、めっきなどで設けるため、各層をマイクロオーダーの層厚に形成できる。よって照光式加飾成形体を全体的に薄型化できる。
【００１１】
本発明は前記照光式加飾成形体について、背景層の窓孔の大きさが表示層と同等又は小さくする。つまり、表示層に隠れる窓孔から明るいバックライト光が透光基材に入る。このため操作者が窓孔を直接見ることが難しく、見映えのよい表示要素の縁取り照光を実現できる。そして特に背景層の窓孔を小さくすると大きな表示層によって外観上隠れるため、操作者が窓孔を通過する光を直視することが難しくなり、確実に縁取り照光を見て取ることができる。
【００１２】
本発明では前記照光式加飾成形体について、背景層の窓孔を表示層の表示要素と相似形状とする。つまり表示層の外縁と窓孔の内縁との間隔が表示層の外縁全周にわたってほぼ等しい。このため表示層の外縁全周をほぼ同量の光量によって照光できる。よってむらのない縁取り照光を実現できる。なお、本明細書でいう「相似形状」とは相似比が１である「合同」を含む趣旨であり、また表示層の表示要素と背景層の窓孔とが形状について完全一致である場合に限らない趣旨である。例えば表示層の表示要素では角部が明確に現れているが、背景層の窓孔は角部にアールを付けているような場合は、厳密には相似形状といえないが、こうした場合も本発明では「相似形状」に含む趣旨である。
【００１３】
また非照光時に斜め方向から表示層を見ると、表示層の奥に背景層の窓孔を視認できる。つまり、窓孔が表示層の影のように視認できる。このため表示層の表示要素が浮上しているように見えて、浮き文字状の表示要素を実現できる。
【００１４】
本発明は前記照光式加飾成形体について、表示層と背景層が同一色である。つまり、非照光時では表示層と背景層が同化するため表示要素を視認することが難しい。しかし照光時で縁取り照光するため表示要素を明確に視認できる。このためバックライト光による照光時にのみ表示要素を明確に視認でき、非照光時と照光時とでデザインを変えることができる。
【００１５】
本発明は前記照光式加飾成形体について、透光基材が押釦スイッチ用のキートップ本体である。つまり、キートップ本体の操作面に表示層を有し、底面に背景層を有している。このため表示層が見やすく誤操作を防ぐことができる。なおキートップ本体の肉厚は０．１ｍｍ以上あれば使用でき、キートップ本体の操作面の形状は平坦形状、ドーム形状、凹形状が使用できる。また表示層を保護層で覆うことで、表示層の摩耗を防ぐことができる。
【００１６】
本発明は前記照光式加飾成形体について、押釦スイッチ用の透明なキートップ本体を備えており、透光基材がキートップ本体の底面側に備わる透光片である。つまり、表示層及び背景層を有する透光片がキートップ本体の底面側に備わっている。このため操作者がキートップの押圧操作時に表示層に直接触れることがなく、表示層の摩耗を防ぐことができ、キートップを長期間使用できる。なお透光片の肉厚は０．１ｍｍ以上あれば使用できる。
【００１７】
本発明は前記照光式加飾成形体について、キートップ本体と透光片とを軟化又は溶融状態で固着する接着層を備える。つまり、キートップ本体と透光片とを加熱圧着した接着層によって固着している。このため固着作業が簡単である。またキートップ本体の底面と透光片の表面を容易に全面固着でき、接着層の縁を視認することなく見映えのよい表示層とすることができる。なお加熱圧着する際の接着層への伝熱効率を考慮すると透光片の肉厚は０．３ｍｍ以下あれば用いることができる。前述のように透光片の肉厚が０．１ｍｍ以上あれば使用できることから、０．１ｍｍ〜０．３ｍｍが好ましく利用できる。
【００１８】
また接着層が軟化又は溶融状態で固着力を発現するため、接着層が再硬化する際に揮発物を無くすことができる。よって接着層にエアーなどが混入せず、表示層の見映えを損なうことがない。
【００１９】
本発明は、前記何れかの本発明による照光式加飾成形体と、照光式加飾成形体を固着するベースシートと、を備える照光式キーシートを提供する。
【００２０】
本発明の照光式キーシートであれば、前記本発明の照光式加飾成形体とベースシートとを備えるため、表示要素の明るい縁取り照光を実現できる。またベースシートを備えるため、例えばスイッチや光源を配置した基板の上に簡単に載置でき、複数の照光式加飾成形体もベースシートに一体化できるので、電子機器への組み込みが容易になる。
【発明の効果】
【００２１】
本発明の照光式キートップ及び照光式キーシートによれば、バックライト光により表示要素の縁取り照光を実現できる。よって従来とは異なる斬新な照光デザインを実現できる。
【００２２】
また表示層と背景層は深さ方向で離間しているため、表示層と背景層との間の透光基材を透過する光により、表示層の表示要素を浮き文字状に視認できる。よって斬新で新しい立体加飾のデザインを実現できる。
【００２３】
さらに、表示層及び背景層は例えば印刷、塗装、めっきなどで設けるため、各層をマイクロオーダーの層厚で形成できる。よって照光式加飾成形体を全体的に薄型化でき、電子機器の薄型化の要請にも対応できる。
【発明を実施するための最良の形態】
【００２４】
以下、本発明の実施形態の例について図面を参照しつつ説明する。なお、各実施形態で共通する構成については、同一符号を付して重複説明を省略する。
【００２５】
以下の実施形態では、「照光式加飾成形体」として携帯電話機などに備える照光式キートップを適用する例を説明する。
【００２６】
第１実施形態〔図１〜図３〕
第１実施形態の照光式キートップ８は、キートップ本体９と、表示層２と、背景層３とを備えている。
【００２７】
キートップ本体９は、ポリカーボネート樹脂などの透明樹脂材でなり、平面視で矩形状に形成されている。下端には外方へ突出する環状の鍔部９ａを設けてある。
【００２８】
表示層２は、キートップ本体９の押圧操作側となる表面９ｂに印刷によって形成されており、文字、数字、図形、記号、模様などの表示要素を表す表示形状である。本実施形態では表示要素として図形「正方形」の表示形状とした表示層２としている。この表示層２は白色に着色されており、表示層２は塗装形成された透明樹脂でなる保護層２ａによって覆われている。
【００２９】
背景層３は、キートップ本体９の底面９ｃに印刷によって形成されており、バックライト光が透過する窓孔３ａを有している。この窓孔３ａは、表示層２よりも小さい円形になっている。窓孔３ａ以外の背景層３そのものは濃紺色に着色されている。背景層３の底面は、窓孔３ａが目地埋めされるように、印刷形成された透明樹脂でなる保護層３ｂによって覆われている。
【００３０】
次に、第１実施形態の照光式キーシート１０について説明する。照光式キーシート１０は、前述の照光式キートップ８と、ベースシート４（図３）とを備えている。
【００３１】
照光式キーシート１０は、図３で示すように、バックライトとして機能する光源７や接点スイッチとして機能する金属皿ばね１１等を配置した基板６上に載置される。その上方には照光式キートップ８を表出する操作開口１２ａを有する筐体１２を被せてある。キートップ本体９の鍔部９ａは、照光式キートップ８の脱落防止のために筐体１２の操作開口１２ａと係合している。
【００３２】
ベースシート４は、シリコーンゴムなどの透光性のゴム状弾性体で形成されている。その押圧操作側となる表面には、照光式キートップ８を図外の透光性接着剤にて固着する台座部４ａが形成されている。基板対向面となる裏面には、台座部４ａに対応して基板６の金属皿ばね１１を押圧する押し子部４ｂと、全外周及び隣り合う台座部４ａどうしの間に脚部４ｃが突設されている。この脚部４ｃの先端は基板６上の光源７を収容する凹部４ｄを有しており、基板６の表面と接している。
【００３３】
ここで本実施形態を構成する各部材の材質を説明する。
【００３４】
「透光基材」としてのキートップ本体９の材質は、前述の透明樹脂だけでなく光を透過する樹脂やセラミックスを使用できる。このうち「樹脂」の材質は、機械的強度、耐久性等の要求性能、及び軽量化により、熱可塑性樹脂又は反応硬化性樹脂が好ましい。例えば、ポリカーボネート樹脂、ポリメチルメタクリレート樹脂、ポリプロピレン樹脂、ポリスチレン樹脂、ポリアクリル共重合樹脂、ポリオレフィン樹脂、アクリロニトリルブタジエンスチレン樹脂、ポリエステル樹脂、エポキシ樹脂、ポリウレタン樹脂、ポリアミド樹脂、シリコーン樹脂等が挙げられる。また第１実施形態のように透明樹脂では、ポリカーボネート樹脂、ポリメチルメタクリレート樹脂、ポリアクリル共重合樹脂、シリコーン樹脂が使用できる。なお「透光」とは、光が内部を通り抜けることであり、後述する縁取り照光を実現できれば基材が無色の場合だけでなく着色の場合も含む趣旨である。
【００３５】
ベースシート４を構成する「ゴム状弾性体」の材質は、反撥性のよい熱硬化性エラストマー又は熱可塑性エラストマーが好ましい。例えば、シリコーンゴム、イソプレンゴム、エチレンプロピレンゴム、ブタジエンゴム、クロロプレンゴム、天然ゴム、スチレン系熱可塑性エラストマー、エステル系熱可塑性エラストマー、ウレタン系熱可塑性エラストマー、オレフィン系熱可塑性エラストマー、アミド系熱可塑性エラストマー、ブタジエン系熱可塑性エラストマー、エチレン−酢酸ビニル系熱可塑性エラストマー、フッ素系熱可塑性エラストマー、イソプレン系熱可塑性エラストマー、塩素化ポリエチレン系熱可塑性エラストマー等が挙げられる。さらにこれらのゴム状弾性体で温度依存性が少ない点を考慮するとシリコーンゴムが好ましく、また耐久性を考慮するとスチレン系熱可塑性エラストマー、エステル系熱可塑性エラストマーが好ましい。
【００３６】
次に、本実施形態の照光式キートップ８及び照光式キーシート１０の作用・効果を説明する。
【００３７】
照光式キートップ８及び照光式キーシート１０では、照光時の背景層３はキートップ本体９の全底面９ｃから均一にバックライト光を透過させるのではなく、特に窓孔３ａから多くのバックライト光を透過させる。つまり、表示層２が「正方形」を表す表示形状であり、背景層３の窓孔３ａの大きさが表示層２より小さく、表示層２に隠れる窓孔３ａから明るいバックライト光がキートップ本体９に入る。その光はキートップ本体９を通過して表示層（「正方形」）２を下から照光する。すると表示層２の面内よりも外縁の方が明るく光って見えるような明度差が生じる。このためあたかも「正方形」（表示層２）を縁取るかのように照光式キートップ８が照光する。これによって「正方形」の縁取り照光を実現することができる。
【００３８】
表示層２と背景層３はキートップ本体９を挟んで深さ方向で離間している。このため表示層２と背景層３との間のキートップ本体９を透過する光により、表示層２の「正方形」を浮き文字状に視認できる。
【００３９】
表示層２と背景層３が印刷層であるため、各層をマイクロオーダーの層厚で形成できる。よって照光式キートップ８を全体的に薄型化できる。
【００４０】
背景層３の窓孔３ａの大きさが表示層２より小さいことから、表示層２に隠れる窓孔３ａから明るいバックライト光がキートップ本体９に入る。このため操作者が窓孔３ａを直接見ることが難しく、窓孔３ａを通過するバックライト光を直視しにくい見映えのよい「正方形」の縁取り照光を実現できる。
【００４１】
キートップ本体９の操作面に表示層２を有し底面に背景層３を有しているため、表示層２が見やすく誤操作を防ぐことができる。また表示層２は保護層２ａで覆われているため、表示層２の摩耗を防ぐことができる。
【００４２】
照光式キートップ８と透光性のベースシート４とを備えるため、ベースシート４の導光機能によりバックライト光を効率よく照光式キートップ８の底面側に伝えることができる。よって本実施形態の照光式キーシート１０ならば表示要素の明るい縁取り照光を実現できる。またベースシート４によって複数の照光式キートップ８を一体化しているので電子機器への組み込みが容易である。
【００４３】
第１実施形態の照光式キートップ８の変形例〔図４〕
変形例の照光式キートップは、背景層３がアルミニウムでなる鏡面光沢に形成されている。この背景層３は、キートップ本体９の底面９ｃに蒸着で設けられ、窓孔３ａはレーザエッティングで形成されている。
【００４４】
変形例の照光式キートップによれば、鏡面光沢の背景層３は光を反射するため、ものや影を映し出すことが可能である。このため非照光時に表示層２の影１３が背景層３に映り、立体的又は浮き文字状の「正方形」を実現できる。
【００４５】
第２実施形態〔図５〜図７〕
第２実施形態の照光式キートップ１４が、第１実施形態の照光式キートップ８と異なるのは、表示層２と背景層３が有する窓孔３ａの形である。残余の構成は第１実施形態と同じである。
【００４６】
表示層２は、第１実施形態と同様にキートップ本体９の押圧操作側となる表面９ｂに印刷によって形成されており、文字、数字、記号、図形、模様などの「表示要素」を表す表示形状である。本実施形態では表示要素として英文字「Ｅ」の表示形状とした表示層２としている。この表示層２は白色に着色されており、表示層２は塗装形成された透明樹脂でなる保護層２ａによって覆われている。
【００４７】
背景層３は、第１実施形態と同様にキートップ本体９の底面９ｃに印刷によって形成されており、バックライト光が透過する窓孔３ａを有している。本実施形態において窓孔３ａは、表示層２の表示要素と比べてやや小さい相似形状に形成され、英文字「Ｅ」を表している。この窓孔３ａ以外の背景層３そのものは濃紺色に着色されている。さらに背景層３の底面は、窓孔３ａが目地埋めされるように、印刷形成された透明樹脂でなる保護層３ｂによって覆われている。
【００４８】
次に、第２実施形態の照光式キーシート１４について説明する。照光式キーシート１５は、図７で示すように、前述の照光式キートップ１４と、ベースシート４とを備えている。そして、第１実施形態の照光式キーシート１０と同様に、携帯電話機などの電子機器に組み込まれる。
【００４９】
第２実施形態の照光式キートップ１４及び照光式キーシート１５は、第１実施形態の照光式キートップ８及び照光式キーシート１０と同様に、バックライト光により見映えのよい表示要素の縁取り照光を実現でき、表示層５の英文字「Ｅ」を浮き文字状に視認でき、表示層２の摩耗を防ぐことができ、照光式キートップ１４を全体的に薄型化でき、電子機器への組み込みが容易になるほか、さらに次の作用・効果を発揮する。
【００５０】
照光式キートップ１４及び照光式キーシート１５では、表示層２と背景層３の窓孔３ａがともに英文字「Ｅ」を表している。表示層２の外縁と窓孔３ａの内縁との間隔が表示層２の外縁全周にわたってほぼ等しい。このため表示層２の外縁全周をほぼ同量の光量によって照光できる。よってむらのない英文字「Ｅ」の縁取り照光を実現できる。
【００５１】
また非照光時に斜め方向から表示層２を見ると、表示層２の奥に背景層３の窓孔３ａを視認できる。つまり、窓孔３ａを表示層２の影のように視認することができる。このため表示層２の英文字「Ｅ」が浮上しているように見えて、浮き文字状の英文字「Ｅ」を実現できる。
【００５２】
第３実施形態〔図８〜図１０〕
第３実施形態の照光式キートップ１６が、第２実施形態の照光式キートップ１４と異なるのは、透明なキートップ本体９とは別体に「透光片」としての樹脂シート１７を備える構成である。残余の構成は第２実施形態と同じである。
【００５３】
樹脂シート１７は、ポリカーボネート樹脂などの透明樹脂材でなり、平面視でキートップ本体９の底面９ｃと同形状に形成されている。樹脂シート１７のキートップ本体９と対向する上面１７ａは、キートップ本体９の底面９ｃに対し、軟化又は溶融状態で固着力を発現する透明樹脂でなる接着層１８で固着されている。
【００５４】
表示層２は、キートップ本体９の底面９ｃに印刷によって形成されており、第２実施形態と同様に「表示要素」を表す表示形状である。本実施形態でも表示要素として英文字「Ｅ」の表示形状とした表示層２としている。この表示層２は黒色に着色されている。
【００５５】
背景層３は、樹脂シート１７の上面１７ａとは反対の下面１７ｂに印刷によって形成されており、バックライト光が透過する窓孔３ａを有している。本実施形態において窓孔３ａは、表示層２の表示要素と相似比が１となる合同に形成されており、英文字「Ｅ」を表している。この窓孔３ａ以外の背景層３そのものは黒色に着色されている。さらに背景層３の底面は、窓孔３ａが目地埋めされるように、印刷形成された透明樹脂でなる保護層３ｂによって覆われている。
【００５６】
次に、第３実施形態の照光式キーシート１９について説明する。照光式キーシート１９は、図１０で示すように、前述の照光式キートップ１６と、ベースシート４とを備えている。そして、第２実施形態の照光式キーシート１５と同様に、携帯電話機などの電子機器に組み込まれる。
【００５７】
ここで、照光式キートップ１６の製造方法について説明する。
【００５８】
先ず射出成形にてキートップ本体９を成形する。このキートップ本体９の底面９ｃに、黒色インクを印刷工法にて塗布し、「表示要素」として英文字「Ｅ」を表す表示形状の表示層５を形成する。
【００５９】
他方、別途用意した樹脂シート１７の下面１７ｂに、黒色インクを印刷工法にて塗布し、表示層２と合同の「表示要素」として英文字「Ｅ」の窓孔３ａを有する背景層３を形成する。さらにこの背景層３の底面に、透明インクを印刷工法にて塗布し、窓孔３ａを目地埋めするように保護層３ｂを形成する。またこの樹脂シート１７の上面１７ａには、軟化又は溶融状態で固着力を発揮する透明樹脂を印刷工法にて塗布し、接着層１８を形成する。
【００６０】
最後にキートップ本体９の底面９ｃと樹脂シート１７の上面１７ａを対向させて加熱圧着し、樹脂シート１７の上面１７ａに形成した接着層１８を軟化又は溶融状態にしてキートップ本体９の底面９ｃと樹脂シート１７の上面１７ａを固着する。その後樹脂シート１７をキートップ本体９の底面９ｃの形状に合わせて切断し、照光式キートップ１６を製造する。
【００６１】
ここで本実施形態の接着層１８の材質について説明する。
【００６２】
「接着層」は、加熱により軟化又は溶融する熱可塑性樹脂が使用できる。非着体となるキートップ本体９や樹脂シート１７の耐熱性を考慮すると、例えば、アクリル系、塩ビ系、ポリエステル系、ウレタン系などの熱可塑性樹脂を用いることができる。
【００６３】
第３実施形態の照光式キートップ１６及び照光式キーシート１９は、第２実施形態の照光式キートップ１４及び照光式キーシート１５と同様に、バックライト光により見映えのよい表示要素の縁取り照光を実現でき、照光式キートップ１６を全体的に薄型化でき、電子機器への組み込みが容易になるほか、さらに次の作用・効果を発揮する。
【００６４】
照光式キートップ１６及び照光式キーシート１９では、表示層２と背景層３が同一色（黒色）であり、非照光時には表示層２と背景層３が同化して操作者は英文字「Ｅ」を視認することが難しい。しかし照光時には英文字「Ｅ」の縁取り照光によって操作者は英文字「Ｅ」を明確に視認できる。このためバックライト光による照光時にのみ英文字「Ｅ」を明確に視認でき、非照光時と照光時とでデザインを変えることができる。
【００６５】
表示層２及び背景層３を有する樹脂シート１７がキートップ本体９の底面９ｃに固着されているため、操作者がキートップ本体９の押圧操作時に表示層２に直接触れることがなく、表示層２の摩耗を防ぐことができる。よって照光式キートップ１６を長期間使用できる。
【００６６】
接着層１８を介してキートップ本体９と樹脂シート１７とを加熱圧着により固着しているため、固着作業が簡単である。またキートップ本体９の底面９ｃと樹脂シート１７の上面１７ａを全面固着しているため、接着層１８の縁を視認することなく見映えのよい表示層２とすることができる。
【００６７】
また接着層１８が軟化又は溶融状態で固着力を発現するため、接着層１８が再硬化する際に揮発物を生じない。よって接着層１８にエアーなどが混入せず、表示層２の見映えを損なうことがない。
【００６８】
第３実施形態の変形例
照光式キートップ１６の変形例は、「透光片」としての樹脂シート１７をキートップ本体９の表面９ｂに備える構成である。
【００６９】
樹脂シート１７には、上面１７ａに英文字「Ｅ」の表示層２とこれを覆う透明な保護層２ａを設け、下面１７ｂに英文字「Ｅ」の窓孔３ａを有する背景層３を設けている。この樹脂シート１７の下面１７ｂをキートップ本体９の表面９ｂに合わせて接着層１８で固着している。
【００７０】
このような変形例でも第３実施形態の照光式キートップ１６と同様に、バックライト光により見映えのよい表示要素の縁取り照光を実現でき、照光式キートップ１６を全体的に薄型化でき、電子機器への組み込みが容易になる等の作用・効果を発揮する。
【図面の簡単な説明】
【００７１】
【図１】第１実施形態の照光式キートップの平面図。
【図２】図１のＳＡ−ＳＡ線断面図。
【図３】第１実施形態の照光式キートップによる押釦スイッチの説明図。
【図４】第１実施形態の照光式キートップの変形例の説明図。
【図５】第２実施形態の照光式キートップの平面図。
【図６】図５のＳＢ−ＳＢ線断面図。
【図７】第２実施形態の照光式キートップによる押釦スイッチの説明図。
【図８】第３実施形態の照光式キートップの平面図。
【図９】図８のＳＣ−ＳＣ線断面図。
【図１０】第３実施形態の照光式キートップによる押釦スイッチの説明図。
【図１１】従来のキートップの説明図。
【符号の説明】
【００７２】
１    キートップ（一従来例）
２    表示層
２ａ  保護層
３    背景層
３ａ  窓孔
３ｂ  保護層
４    ベースシート
４ａ  台座部
４ｂ  押し子部
４ｃ  脚部
４ｄ  凹部
５    キーシート（一従来例）
６    基板
７    光源
８    照光式キートップ（第１実施形態）
９    キートップ本体
９ａ  鍔部
９ｂ  表面
９ｃ  底面
１０    照光式キーシート（第１実施形態）
１１    金属皿ばね
１２    筐体
１２ａ  操作開口
１３    影
１４    照光式キートップ（第２実施形態）
１５    照光式キーシート（第２実施形態）
１６    照光式キートップ（第３実施形態）
１７    樹脂シート
１７ａ  上面
１７ｂ  下面
１８    接着層
１９    照光式キーシート（第３実施形態）
【図１】
2007213839.tif 000003
【図２】
2007213839.tif 000004
【図３】
2007213839.tif 000005
【図４】
2007213839.tif 000006
【図５】
2007213839.tif 000007
【図６】
2007213839.tif 000008
【図７】
2007213839.tif 000009
【図８】
2007213839.tif 000010
【図９】
2007213839.tif 000011
【図１０】
2007213839.tif 000012
【図１１】
2007213839.tif 000013